(57)【特許請求の範囲】
【請求項１】
インストラクションを有するコンピュータプログラムであって、実行されると、エレメントマネージャに、
無線ローカルエリアネットワーク（ＷＬＡＮ）アクセスポイント（ＡＰ）から受け取った、前記ＷＬＡＮ  ＡＰに関連するインターフェイスの動作状態がダウンであることを示すために設定されたｉｆＯｐｅｒＳｔａｔｕｓを含む、第１アラーム通知を判断させ、
前記第１アラーム通知が、前記エレメントマネージャにおいて保管されているアラームリストの中のアクティブアラームに対応しないことを判断させ、かつ、
前記第１アラーム通知が、前記動作状態がダウンであることを示すように設定されたｉｆＯｐｅｒＳｔａｔｕｓオブジェクトを含んでおり、かつ、アクティブアラームに対応していない、との判断に基づいて、
セルラーネットワークの統合基準点（ＩＲＰ）マネージャに新たなアラームを通知するためのｎｏｔｉｆｙＮｅｗＡｌａｒｍ通知と、
アラームのタイプを示すためのアラームタイプと、
アラームを適格とし、かつ、前記アラームタイプに加えて情報を提供するためのｐｒｏｂａｂｌｅＣａｕｓｅ表示と、
を有する第２アラーム通知を生成させる、
コンピュータプログラム。
【請求項２】
前記インストラクションが実行されると、さらに、エレメントマネージャに、
Ｔｙｐｅ−２インターフェイスにわたり前記ＩＲＰマネージャに対して前記第２アラーム通知を送信させる、
請求項１に記載のコンピュータプログラム。
【請求項３】
前記インストラクションが実行されると、さらに、エレメントマネージャに、
アラームリストを前記第１アラーム通知に対応するアラーム情報について検査させ、かつ、
前記アラームリストの検査に基づいて、前記第１アラーム通知がアクティブアラームに対応していないと判断させる、
請求項１または２に記載のコンピュータプログラム。
【請求項４】
前記ｐｒｏｂａｂｌｅＣａｕｓｅ表示は、トランシーバー故障を前記動作状態の確からしい原因として示すものである、
請求項１または２に記載のコンピュータプログラム。
【請求項５】
前記第２アラーム通知は、認められる重症度をクリティカルまたはメジャーとして示すものである、
請求項１または２に記載のコンピュータプログラム。
【請求項６】
前記第２アラーム通知は、前記ＷＬＡＮ  ＡＰの識別子を含む、
請求項１または２に記載のコンピュータプログラム。
【請求項７】
前記アラームタイプは、通信アラームである、
請求項１または２に記載のコンピュータプログラム。
【請求項８】
前記第２アラーム通知は、第３世代パートナーシッププロジェクト（３ＧＰＰ）アラーム通知を含む、
請求項１または２に記載のコンピュータプログラム。
【請求項９】
エレメントマネージャにおいて実装される装置であって、
無線ローカルエリアネットワーク（ＷＬＡＮ）アクセスポイント（ＡＰ）から、第１フォーマットに従ったアラーム通知を受け取るための受信回路と、
前記受信回路と接続され、前記アラーム通知を、前記第１フォーマットから、セルラーネットワークの態様を管理する統合基準点（ＩＲＰ）マネージャによって使用される第２フォーマットに従って変換されたアラーム通知へ変換するためのマッピング回路であり、
前記アラーム通知が、ダウンに等しいｉｆＯｐｅｒＳｔａｔｕｓオブジェクトを含む場合に、前記変換されたアラーム通知はｎｏｔｉｆｙＮｅｗＡｌａｒｍ通知であり、
前記アラーム通知は、前記装置において存在しているアクティブアラームと一致せず、かつ、
前記変換されたアラーム通知は、アラームのタイプを示すためのアラームタイプと、アラームを適格とし、かつ、前記アラームタイプに加えて情報を提供するためのｐｒｏｂａｂｌｅＣａｕｓｅ表示と、を含む、
マッピング回路と、
前記マッピング回路と接続され、前記変換されたアラーム通知を前記ＩＲＰマネージャに対して送付するための送信回路と、
を含む、装置。
【請求項１０】
前記装置は、ＩＲＰエージェントを含み、かつ、
前記ＩＲＰマネージャは、ネットワークマネージャ（ＮＭ）のＩＲＰマネージャである、
請求項９に記載の装置。
【請求項１１】
前記ダウンに等しいｉｆＯｐｅｒＳｔａｔｕｓオブジェクトは、前記ＷＬＡＮ  ＡＰと関連付けされたインターフェイスが動作していないことを示す、
請求項９または１０に記載の装置。
【請求項１２】
前記マッピング回路は、前記アラーム通知をアクティブアラームリストへ追加する、
請求項９または１０に記載の装置。
【請求項１３】
前記送信回路は、前記変換されたアラーム通知を、Ｔｙｐｅ−２インターフェイスにわたり前記ＩＲＰマネージャへ送信する、
請求項９または１０に記載の装置。
【請求項１４】
前記アラーム通知が、アップに等しいｉｆＯｐｅｒＳｔａｔｕｓオブジェクトを含み、かつ、前記装置において存在しているアクティブアラームと一致する場合に、前記変換されたアラーム通知はｎｏｔｉｆｙＣｌｅａｒｅｄＡｌａｒｍ通知である、
請求項９または１０に記載の装置。
【請求項１５】
前記マッピング回路は、前記アラーム通知が、アップに等しいｉｆＯｐｅｒＳｔａｔｕｓオブジェクトを含む場合に、アラームリストから、前記アラーム通知に対応するアラーム情報を取り除く、
請求項１４に記載の装置。
【請求項１６】
前記アラーム通知が、ｌｏｗｅｒＬａｙｅｒＤｏｗｎに等しいｉｆＯｐｅｒＳｔａｔｕｓオブジェクトを含み、かつ、前記装置において存在しているアクティブアラームと一致しない場合に、前記変換されたアラーム通知はｎｏｔｉｆｙＮｅｗＡｌａｒｍ通知である、
請求項９または１０に記載の装置。
【請求項１７】
前記アラーム通知が、ダウンに等しいｉｆＯｐｅｒＳｔａｔｕｓオブジェクトを含み、かつ、前記装置において存在しているアクティブアラームと一致する場合に、前記変換されたアラーム通知はｎｏｔｉｆｙＣｈａｎｇｅｄＡｌａｒｍ通知である、
請求項９または１０に記載の装置。
【請求項１８】
前記アラーム通知が、ｌｏｗｅｒＬａｙｅｒＤｏｗｎに等しいｉｆＯｐｅｒＳｔａｔｕｓオブジェクトを含み、かつ、前記装置において存在しているアクティブアラームと一致する場合に、前記変換されたアラーム通知はｎｏｔｉｆｙＣｈａｎｇｅｄＡｌａｒｍ通知である、
請求項９または１０に記載の装置。
【請求項１９】
インストラクションを有するコンピュータプログラムであって、実行されると、エレメントマネージャに、
無線ローカルエリアネットワーク（ＷＬＡＮ）アクセスポイント（ＡＰ）から受け取った、前記ＷＬＡＮ  ＡＰに関連するインターフェイスの動作状態がアップであることを示すために設定されたｉｆＯｐｅｒＳｔａｔｕｓを含む、第１アラーム通知を判断させ、
前記第１アラーム通知が、前記エレメントマネージャにおいて保管されているアラームリストの中のアクティブアラームに対応していることを判断させ、かつ、
前記第１アラーム通知は、前記動作状態がアップであることを示すように設定されたｉｆＯｐｅｒＳｔａｔｕｓオブジェクトを含んでおり、かつ、アクティブアラームに対応している、との判断に基づいて、
セルラーネットワークの統合基準点（ＩＲＰ）マネージャに変更されたアラームを通知するためのｎｏｔｉｆｙＣｌｅａｒｅｄＡｌａｒｍ通知と、
アラームのタイプを示すためのアラームタイプと、
アラームを適格とし、かつ、前記アラームタイプに加えて情報を提供するためのｐｒｏｂａｂｌｅＣａｕｓｅ表示と、
を有する第２アラーム通知を生成させる、
コンピュータプログラム。
【請求項２０】
前記インストラクションが実行されると、さらに、エレメントマネージャに、
Ｔｙｐｅ−２インターフェイスにわたり前記ＩＲＰマネージャに対して前記第２アラーム通知を送信させる、
請求項１９に記載のコンピュータプログラム。
【請求項２１】
前記インストラクションが実行されると、さらに、エレメントマネージャに、
アラームリストを前記第１アラーム通知に対応するアラーム情報について検査させ、かつ、
前記アラームリストの検査に基づいて、前記第１アラーム通知がアクティブアラームに対応していると判断させる、
請求項１９または２０に記載のコンピュータプログラム。
【請求項２２】
前記インストラクションが実行されると、さらに、エレメントマネージャに、
前記第１アラーム通知は、前記動作状態がアップであることを示すように設定されたｉｆＯｐｅｎＳｔａｔｕｓオブジェクトを含んでいる、との判断に基づいて、前記アラームリストから、前記第１アラーム通知に対応するアラーム情報を取り除かせる、
請求項２１に記載のコンピュータプログラム。
【請求項２３】
前記第２アラーム通知は、認められる重症度をクリアとして示すものである、
請求項１９または２０に記載のコンピュータプログラム。
【請求項２４】
前記第２アラーム通知は、前記ＷＬＡＮ  ＡＰの識別子を含む、
請求項１９または２０に記載のコンピュータプログラム。
【請求項２５】
前記第２アラーム通知は、通信アラームのアラームタイプを含む、
請求項１９または２０に記載のコンピュータプログラム。
【請求項２６】
請求項１乃至８または請求項１９乃至２５のうちいずれか一項に記載のコンピュータプログラムを記憶したコンピュータ読取り可能な記憶媒体。
【発明の詳細な説明】
【技術分野】
【０００１】
本開示の実施例は、一般的に、無線通信の分野に関する。そして、より特定的には、セルラーネットワークにおける無線ローカルエリアネットワークのアラーム通知のための方法および装置に関する。
【０００２】
本出願は、２０１５年３月２５日提出の米国特許出願第１４／６６８６６３号、タイトル"METHODS  AND  APPARATUSES  OF  WLAN  ALARM  NOTIFICATION  IN  CELLULAR  NETWORKS"に対する優先権を主張するものであり、上記は、２０１４年１０月１０日提出の米国特許仮出願第６２／０６２７１１号、タイトル"Method  and  Apparatus  of  WLAN  Alarm  Notifications  for  WLAN  offloading  in  3GPP  Cellular  Networks"について優先権を主張しているものである。ここにおいて、これらの開示全体は、仮に有るとすれば、この明細書との一貫性がないセクションを除いた、全ての目的のために参照として包含されている。
【背景技術】
【０００３】
無線ローカルエリアネットワーク（ｗｉｒｅｌｅｓｓ  ｌｏｃａｌ  ａｒｅａ  ｎｅｔｗｏｒｋ、ＷＬＡＮ）のオフローディング（ｏｆｆｌｏａｄｉｎｇ）は、オペレータにとって、ネットワークのアップグレードまたは拡張することなく、モバイルデータトラフィックの急速な成長に対処するための、抵抗しがたい（ｃｏｍｐｅｌｌｉｎｇ）ソリューションになってきている。ＷＬＡＮとセルラーネットワークコンポーネントとの間の効果的な通信は、そうしたやり方において、ＷＬＡＮを補完するセルラー技術を促進し得るものである。
【図面の簡単な説明】
【０００４】
実施例は、添付の図面と併せて、以降の詳細な説明によって直ちに理解されよう。この説明を促進するために、類似の参照番号は類似の構造的エレメントを示している。実施例は、例示としてのものであり、添付の図面に係る形態に限定するものではない。
【図１】図１は、様々な実施例に従って、ネットワーク環境のハイレベルな例を示している。
【図２】図２は、様々な実施例に従って、統合基準点エージェントのオペレーションを説明するフローチャートを示している。
【図３】図３は、様々な実施例に従って、ＷＬＡＮネットワークリソースモデルのコンテイメント／ネーミング階層およびクラスの関連を示している。
【図４】図４は、様々な実施例に従って、ＷＬＡＮネットワークリソースモデルのインヘリタンス階層を示している。
【図５】図５は、様々な実施例に従って、エレメントマネージャを示している。
【図６】図６は、様々な実施例に従って、エレメントマネージャのオペレーションを説明するフローチャートを示している。
【図７】図７は、ここにおいて説明される様々な実施例を実行するために使用され得るシステム例を示している。
【発明を実施するための形態】
【０００５】
本開示に係る説明的な実施例は、これらに限定されるわけではないが、セルラーネットワークにおけるＷＬＡＮアラーム通知のための方法、システム、コンピュータで読取り可能な媒体、および、装置を含んでいる。
【０００６】
他の当業者に対して自分の仕事の本質を伝えるために当業者によって一般的に使用される用語を使用して、説明的な実施例に係る様々な態様が説明される。しかしながら、当業者にとっては、説明された態様のいくつかだけを用いて、代替的な実施例が実行され得ることが明らかである。説明目的のために、説明された実施の完全な理解を提供するように、特定の数、材料、および、構成が明らかにされる。しかしながら、特定の詳細なしに、代替的な実施例が実行され得ることが、当業者にとっては明らかである。他のインスタンスにおいては、説明的な実施例を不明確にしないように、よく知られた機能は省略され、または、簡素化される。
【０００７】
さらに、様々なオペレーションが、説明的な実施例を理解することにおいて最も役に立つやり方において、複数の個別のオペレーションとして順番に説明される。しかしながら、説明の順番は、これらのオペレーションが必然的に順番に依存するものであることを意味するものとして理解されるべきではない。特に、これらのオペレーションは、説明の順番において実行されることを要しない。
【０００８】
用語「いくつかの実施例（“ｓｏｍｅ  ｅｍｂｏｄｉｍｅｎｔ”）」が繰り返し使用されている。その用語は、一般的には、同一の実施例を参照するものではない。しかしながら、そうであってもよい。用語「含む、有する（”ｃｏｍｐｒｉｓｉｎｇ”、”ｈａｖｉｎｇ”、および、”ｉｎｃｌｕｄｉｎｇ”）」は、そうでないものとコンテクストが述べていなければ、同義のものである。
【０００９】
用語「ＡまたはＢ（”Ａ  ｏｒ  Ｂ”、Ａ／Ｂ”）」および「Ａ及び／又はＢ（”Ａ  ａｎｄ／ｏｒ  Ｂ”」は、（Ａ）、（Ｂ）、または、（ＡかつＢ）を意味する。
【００１０】
ここにおいて使用されるように、用語「回路（”ｃｉｒｃｕｉｔｒｙ”）」は、ハードウェアコンポーネントを参照し、その一部であり、または、含んでいる。特定アプリケーション用集積回路（ＡＳＩＣ）、電子回路、論理回路、プロセッサ（共有、専用、またはグループ）、及び/又は、説明される機能性を提供するように構成されているメモリ（共有、専用、またはグループ）、といったものである。いくつかの実施例において、回路は、説明される機能性の少なくともいくつかを提供するための、一つまたはそれ以上のソフトウェアまたはファームウェアプログラムを実行し得る。
【００１１】
図１は、様々な実施例に従って、ネットワーク環境１００を模式的に示している。ネットワーク環境１００は、エレメントマネージャ１０８と通信可能に接続されているネットワークマネージャ１０４を含んでいる。ネットワークマネージャ１０４は、エレメントマネージャ１０８に加えて一つまたはそれ以上のエレメントマネージャを含んでいる複数のエレメントマネージャを管理し得る。ネットワークマネージャ１０４とエレメントマネージャ１０８は、３ＧＰＰ  ＬＴＥ  アドバンスト（ＬＴＥ−Ａ）ネットワークといった、セルラーネットワークの一部であってよい。他の実施例においては、他のセルラーネットワーク技術が使用されてよい。
【００１２】
様々な実施例において、ＷＬＡＮ  ＡＰ１２０は、エレメントマネージャ１０８と通信可能に接続されてよい。いくつかの実施例において、ネットワーク環境１００は、さらに、ＡＣ−ＡＰインターフェイスにわたり一つまたはそれ以上のＷＬＡＮ  ＡＰ１２０を管理するためのアクセスコントローラ１２４を含んでよい。これらの実施例において、エレメントマネージャ１０８は、アクセスコントローラ１２４を介して、一つまたはそれ以上のＷＬＡＮ  ＡＰ１２０と通信し得る。他の実施例は、アクセスコントローラ１２４を含まなくてよい。これらの実施例において、エレメントマネージャ１０８は、ＷＬＡＮ  ＡＰ１２０と直接的に通信し得る。
【００１３】
様々な実施例において、ネットワークマネージャ１０４は、ＬＴＥ−Ａネットワークに係る、エレメントマネージャ１０８を含む、複数のエレメントマネージャを管理するための統合基準点（ｉｎｔｅｇｒａｔｉｏｎ  ｒｅｆｅｒｅｎｃｅ  ｐｏｉｎｔ、ＩＲＰ）マネージャ１２８を含んでよい。ＩＲＰマネージャ１２８は、有線及び／又は無線インターフェイスを介してエレメントマネージャ１０８と通信し得る。いくつかの実施例において、ＩＲＰマネージャ１２８は、Ｔｙｐｅ−２インターフェイスにわたりエレメントマネージャ１０８と通信し得る。Ｔｙｐｅ−２インターフェイスは、ネットワーク管理プロトコル（および関連のネットワーク管理データ）と関連付けられており、その特性は３ＧＰＰ技術仕様書に定義されている。いくつかの実施例において、ＩＲＰマネージャ１２８は、チップ、チップセット、または、プログラム及び／又は事前設定された回路に係る他のコレクションの中に含まれ、及び／又は、それにより実施されてよい。
【００１４】
様々な実施例において、エレメントマネージャ１０８は、ＩＲＰエージェント１３２を含んでよい。ＩＲＰエージェント１３２は、ネットワークマネージャ１０４と（例えば、Ｔｙｐｅ−２インターフェイスを介して）通信し得る。いくつかの実施例において、ＩＲＰエージェント１３２及び／又はマッピングファンクション１３６が、チップ、チップセット、または、プログラム及び／又は事前設定された回路に係る他のコレクションの中に含まれ、及び／又は、それにより実施されてよい。
【００１５】
ＩＲＰマネージャ１２８およびＩＲＰエージェント１３２は、ネットワーク環境１００において数多くのＩＲＰファンクションを実行し得る。これらに限定されるわけではないが、フォールト（ｆａｕｌｔ）とコンフィグレーション管理オペレーションを含むものである。
【００１６】
様々な実施例において、ＩＲＰエージェント１３２は、マッピングファンクションを実施し得る。ＷＬＡＮに係るＷＬＡＮ  ＡＰ１２０によって生成、及び／又は、使用される第１フォーマットにおける管理データ、例えば、アラート通知を、ＬＴＥ−Ａネットワークを管理するネットワークマネージャ１０４のＩＲＰマネージャ１２８によって使用される第２フォーマットへ変換するためのものである。例えば、ＩＲＰエージェント１３２は、第１フォーマットに従って、ＷＬＡＮ  ＡＰ１２０からアラート通知を受信することができ、そして、ＩＲＰエージェント３２は、マッピングファンクション１３６と共に、そのアラート通知を第１フォーマットから第２フォーマットへ変換することができる。ＩＲＰエージェント１３２は、次に、アラーム通知を、第２フォーマットにおいて、ネットワークマネージャ１０４（例えば、ネットワークマネージャ１０４のＩＲＰマネージャ１２８）へ送付することができる。
【００１７】
いくつかの実施例において、アラート通知がＷＬＡＮ  ＡＰ１２０から受信される第１フォーマットは、これに限定されるわけではないが、インターネットエンジニアリングタスクフォース（ＩＥＴＦ）フォーマットといった、標準化されたインターネットフォーマットであってよい。アラート通知がＩＲＰマネージャ１２８に対して送付される第２フォーマットは、これに限定されるわけではないが、３ＧＰＰフォーマットといった、セルラー標準フォーマットであってよい。いくつかの実施例において、第２フォーマットにおけるアラート通知は、３ＧＰＰ  ＴＳ  ３２．１１１−２、Ｒｅｌ  Ｖ１２．０．０（２０１４−１０−０２）において定義されたものとコンパチブルであってよい。
【００１８】
ＩＲＰエージェント１３２およびマッピングファンクション１３６により、ネットワークマネージャ１０４及び／又はエレメントマネージャ１０８は、ＷＬＡＮ  ＡＰ１２０からアラート通知（および他のデータ）を受け取ることができる。ネットワークマネージャ１０４及び／又はエレメントマネージャ１０８は、ＬＴＥ−Ａネットワークを管理するために、ＷＬＡＮ  ＡＰ１２０からのアラート通知を使用し得る。例えば、アラートは、ＷＬＡＮ  ＡＰ１２０を介してネットワーク接続が利用可能であるか（例えば、ＷＬＡＮ  ＡＰ１２０がデータパケットを通過させることができるか否か）を示すために、ＷＬＡＮ  ＡＰの動作状態を示し得る。例えば、いくつかの実施例において、アラームは、ＷＬＡＮ  ＡＰ１２０に関連するインターフェイスの動作状態を示すために、ＷＬＡＮ  ＡＰ１２０によって管理される  ｉｆＯｐｅｒＳｔａｔｕｓオブジェクトを含んでよい。ＷＬＡＮ  ＡＰ１２０に関連するインターフェイスは、ＷＬＡＮ  ＡＰ１２０から／に対してデータ／コントロールパケットを通過させるために使用され得る通信インターフェイスを参照してよい。
【００１９】
ｉｆＯｐｅｒＳｔａｔｕｓオブジェクトは、ＩＥＴＦ  ＲＦＣ  ２８６３（２０００）によって記述されるようなオブジェクトであってよい。ＷＬＡＮ  ＡＰ１２０は、様々なＷＬＡＮ  ＡＰアラームをレポートするために、ｉｆＯｐｅｒＳｔａｔｕｓオブジェクトをｌｉｎｋＵｐ／ｌｉｎｋＤｏｗｎ通知の中にエンベッドしてよい。ｌｉｎｋＵｐ／ｌｉｎｋＤｏｗｎ通知に基づいたアラームの実施例、ＩＥＴＦ  ＲＦＣ  ３８７７（２００４）において記述されているものと同様なもの、が以下に示されている。
【表１】
0006403879.tif 000002
【００２０】
ＷＬＡＮ  ＡＰ１２０は、ｉｆＯｐｅｒＳｔａｔｕｓオブジェクトが、その値を変化させたときにアラート通知を送付してよい。ｉｆＯｐｅｒＳｔａｔｕｓオブジェクトの値は、いくつかの実施例に従って、ＲＦＣ  ２８６３に応じて、以下に示され得るものである。
【表２】
0006403879.tif 000003
【００２１】
ｌｏｗｅｒＬａｙｅｒＤｏｗｎ（７）ステートは、インターフェイスが、ダウン（ｄｏｗｎ）である、例えば、動作していないという、ローレベル（ｌｏｗ−ｌｅｖｅｌ）に依存していることを示すダウン状態のタイプであってよい。ｉｆＡｄｍｉｎＳｔａｔｕｓは、アドミニストレータまたはオペレータによってコントロールされてよい。例えば、アドミニストレータは、ＷＬＡＮ  ＡＰ１２０をディセーブル（ｄｉｓａｂｌｅ）して、かつ、ｉｆＡｄｍｉｎＳｔａｔｕｓをダウンに設定するように決定してよい。この場合には、ｉｆＯｐｅｒＳｔａｔｕｓも、また、ダウンであってよい。アドミニストレータは、ｉｆＡｄｍｉｎＳｔａｔｕｓをアップ（ｕｐ）に設定することによって、ＷＬＡＮ  ＡＰ１２０をイネーブル（ｅｎａｂｌｅ）することができる。ｉｆＯｐｅｒＳｔａｔｕｓが、次に、また、アップに設定されてよい（動作可能であることを妨げるであろうインターフェイスの他の問題が存在しない限りのことであり、そうした場合には未だにダウンしているであろう）。
【００２２】
第１フォーマットにおいてＷＬＡＮ  ＡＰ１２０からアラート通知を受け取ると、ＩＲＰエージェント１３２は、マッピングファンクション１３６と一緒に、そのアラート通知を第２フォーマットにおけるアラート通知に対してマップし得る。図２は、いくつかの実施例に従って、ＩＲＰエージェント１３２のオペレーションを説明するフローチャートを示している。
【００２３】
ここにおいて説明されるように、ＩＲＰエージェント１３２は、数多くのオペレーションを実行することができる。これらのオペレーションのパフォーマンスにおいて、ＩＲＰエージェント１３２は、マッピングファンクション１３６にアクセスし、そうでなければ、利用し得ることが理解されよう。マッピングファンクション１３６は、ルールまたはロジックを含んでよい。図２の仕様及び記述言語（ＳＤＬ）において一般的に説明され、かつ、記述されるといったもので、第１フォーマットにおけるアラート通知の第２フォーマットにおけるアラート通知へのマッピングを促進するものである。従って、いくつかの実施例において、ＩＲＰエージェント１３２によって実行されているものとして説明されたオペレーションが、マッピングファンクション１３６と併せてＩＲＰエージェント１３２によって実行されてよい。
【００２４】
２０４において、ＷＬＡＮ  ＡＰ１２０は、ＩＲＰエージェント１３２に対して、ｉｆＯｐｅｒＳｔａｔｕｓを含む、ＷＬＡＮアラーム通知を送信し得る。２０８において、ＩＲＰエージェント１３２は、新たに受け取ったＷＬＡＮアラーム通知がアクティブアラーム（ａｃｔｉｖｅ  ａｌａｒｍ）に対応するか否かを判断することができる。
【００２５】
ＩＲＰエージェント１３２は、アラームリストを検査することによって、新たに受け取ったＷＬＡＮアラーム通知がアクティブアラームに対応するか否かを判断することができる。アラームリストは、エレメントマネージャ１０８によってアクセス可能であり、新たに受信したアラーム通知に対応するアラーム情報のためのものである。アラームリストは、エレメントマネージャ１０８においてローカルに保管されてよく、または、エレメントマネージャ１０８のリモートに、しかし利用可能に、保管されてよい。アラーム情報は、アラームＩＤによってアラームリストにおいて特定され得るものである。様々な実施例において、アラーム情報は、数多くの異なる属性（ａｔｔｒｉｂｕｔｅ）と関連付けられてよい。例えば、アラーム情報は、アラーム情報を伝搬する通知を特定するためのｎｏｔｉｆｉｃａｔｉｏｎＩＤ；アラームされたリソースによってアラームが最初に挙げられたときの日付と時間を示すａｌａｒｍＲａｉｓｅｄＴｉｍｅ；アラームされたリソースによってアラーム情報が変更されたときの日付と時間を示すａｌａｒｍＣｈａｎｇｅｄＴｉｍｅ；アラームがクリアされたときの日付と時間を示すａｌａｒｍＣｌｅａｒｅｄＴｉｍｅ；イベント／アラームのタイプを示すための、ａｌａｒｍＴｙｐｅとしても参照され得る、ｅｖｅｎｔＴｙｐｅ；アラームを適格とし（ｑｕａｌｉｆｙ）、かつ、イベントタイプの情報に加えて情報を提供するためのｐｒｏｂａｂｌｅＣａｕｓｅ；オペレータの注意について緊急度（ｕｒｇｅｎｃｙ）の相対レベルを示すためのｐｅｒｃｅｉｖｅｄＳｅｖｅｒｉｔｙ；等を含んでよい。様々な実施例において、アラームリストは、３ＧＰＰ  ＴＳ  ３２．１１１−２において記述されているものと同様なものであってよい。
【００２６】
２０８において、ＷＬＡＮアラーム通知に対応するアラームリストの中にアラーム情報が存在しないことが判断された場合、ＩＲＰエージェント１３２は、ＷＬＡＮ  ＡＰ１２０によって新たなアラームが挙げられたことを示す、変換されたアラーム通知を生成し得る。変換されたアラーム通知のパラメータは、ｉｆＯｐｅｒＳｔａｔｕｓオブジェクトの値に基づいてよい。
【００２７】
例えば、２１２において、ＩＲＰエージェント１３２は、ｉｆＯｐｅｒＳｔａｔｕｓがダウン（ｄｏｗｎ）に等しいか否かを判断し得る。このことは、ＷＬＡＮ  ＡＰ１２０に関連するインターフェイスの動作状態がダウンであること、例えば、動作していないこと、を示してよい。インターフェイスは、ネットワークコンポーネントまたはＬＴＥユーザ装置（ＵＥ）と通信するＷＬＡＮ  ＡＰ１２０の通信インターフェイスであってよい。
【００２８】
ｉｆＯｐｅｒＳｔａｔｕｓがダウンに等しい場合に、ＩＲＰエージェント１３２は、２１６において、アクティブアラームのアラームリストに対して、ＷＬＡＮアラーム通知に対応するアラーム情報を追加してよい。ＩＲＰエージェント１３２は、また、変換されたアラーム通知を生成し、かつ、変換されたアラーム通知をＩＲＰマネージャ１２８に対して送付し得る。
【００２９】
いくつかの実施例において、２１２におけるポジティブ（ｐｏｓｉｔｉｖｅ）な判断の後で生成された、変換されたアラーム通知は、通知タイプ”ｎｏｔｉｆｙＮｅｗＡｌａｒｍ”、ＷＬＡＮ  ＡＰ１２０のＩＤ；”ｔｒａｎｓｃｅｉｖｅｒ  ｆａｉｌｕｒｅ”の確からしい原因；「クリティカル（”ｃｒｉｔｉｃａｌ”）」または「メジャー（”ｍａｊｏｒ”）」として認められる重症度（ｓｅｖｅｒｉｔｙ）；および、「通信アラーム（”ｃｏｍｍｕｎｉｃａｔｉｏｎ  ａｌａｒｍ”）」としてのアラームタイプ、を示すオブジェクトインスタンス、を有してよい。通信アラームのタイプは、一つのポイントから別のポイントへ情報を伝搬することを含む、プロシージャ及び／又はプロセスと関連付けされてよい。”ｎｏｔｉｆｙＮｅｗＡｌａｒｍ”の通知タイプを有しているアラーム通知は、単純にｎｏｔｉｆｙＮｅｗＡｌａｒｍ通知としても参照され得るものであり、ＷＬＡＮ  ＡＰ１２０に関連するインターフェイスに関する新たなアラームの存在をＩＲＰマネージャ１２８に通知し得るものである。
【００３０】
２１２において、ＩＲＰエージェント１３２が、ｉｆＯｐｅｒＳｔａｔｕｓがダウンに等しくないと判断する場合、プロセスは２２０へ進んでよく、そこでは、ｉｆＯｐｅｒＳｔａｔｕｓがｌｏｗｅｒＬａｙｅｒＤｏｗｎと等しいか否かが判断され得る。ｌｏｗｅｒＬａｙｅｒＤｏｗｎは、インターフェイスが依存している、より下位のレイヤ（ｌｏｗｅｒ  ｌａｙｅｒ）が動作していないことを示し得るものである。
【００３１】
２２０において、ＩＲＰエージェント１３２は、ｉｆＯｐｅｒＳｔａｔｕｓがｉｆＯｐｅｒＳｔａｔｕｓに等しいと判断する場合には、２２６において、ＷＬＡＮアラーム通知に対応するアラーム情報を、アクティブアラームリストへ追加する。ＩＲＰエージェント１３２は、また、変換されたアラーム通知を生成し、かつ、変換されたアラーム通知をＩＲＰマネージャ１２８に対して送付してよい。このインスタンスにおいて、変換されたアラーム通知は、ＷＬＡＮ  ＡＰ１２０のＩＤ；”ｃｏｍｍｕｎｉｃａｔｉｏｎ  ｓｙｓｔｅｍ  ｆａｉｌｕｒｅ”の確からしい原因；「マイナー（”ｍｉｎｏｒ”）」として認められる重症度；および、「通信アラーム」としてのアラームタイプ、を示すオブジェクトインスタンスを有するｎｏｔｉｆｙＮｅｗＡｌａｒｍ通知であってよい。
【００３２】
２０８において、ＩＲＰエージェント１３２が、新たに受け取ったアラーム通知がアクティブアラームに等しいと判断する場合、プロセスは２２８へ進んでよい。２２８において、ＩＲＰエージェント１３２は、ｉｆＯｐｅｒＳｔａｔｕｓがダウンに等しいか否かが判断され得る。そうである場合に、ＩＲＰエージェント１３２は、アラームリストの中のアラーム情報をアップデートし、そして、”ｎｏｔｉｆｙＣｈａｎｇｅｄＡｌａｒｍ”の通知タイプを有している変換されたアラーム通知を生成してよい。ｎｏｔｉｆｙＣｈａｎｇｅｄＡｌａｒｍ通知としても参照され得るものであり、アラームが変更されたが、クリアされてはいないことを示す。ｎｏｔｉｆｙＣｈａｎｇｅｄＡｌａｒｍ通知は、ＷＬＡＮ  ＡＰ１２０のＩＤ；”ｔｒａｎｓｃｅｉｖｅｒ  ｆａｉｌｕｒｅ”の確からしい原因；「クリティカル」または「メジャー」として認められる重症度；および、「通信アラーム」としてのアラームタイプ、を示すオブジェクトインスタンスを含んでよい。ＩＲＰエージェント１３２は、次に、ｎｏｔｉｆｙＣｈａｎｇｅｄＡｌａｒｍ通知をＩＲＰマネージャ１２８に対して送付してよい。
【００３３】
２２８において、ＩＲＰエージェント１３２が、ｉｆＯｐｅｒＳｔａｔｕｓがダウン（２）に等しくないと判断する場合、プロセスは２３２へ進んでよい。２３２において、ＩＲＰエージェント１３２は、ｉｆＯｐｅｒＳｔａｔｕｓがｌｏｗｅｒＬａｙｅｒＤｏｗｎと等しいか否かが判断され得る。そうである場合に、ＩＲＰエージェント１３２は、アラームリストの中のアラーム情報をアップデートし、そして、ｎｏｔｉｆｙＣｈａｎｇｅｄＡｌａｒｍ通知を生成してよい。ｎｏｔｉｆｙＣｈａｎｇｅｄＡｌａｒｍ通知は、ＷＬＡＮ  ＡＰ１２０のＩＤ；”ｃｏｍｍｕｎｉｃａｔｉｏｎ  ｓｙｓｔｅｍ  ｆａｉｌｕｒｅ”の確からしい原因；「マイナー」として認められる重症度；および、「通信アラーム」としてのアラームタイプ、を示すオブジェクトインスタンスを含んでいるものである。ＩＲＰエージェント１３２は、次に、ｎｏｔｉｆｙＣｈａｎｇｅｄＡｌａｒｍ通知をＩＲＰマネージャ１２８に対して送付してよい。
【００３４】
２３２において、ＩＲＰエージェント１３２が、ｉｆＯｐｅｒＳｔａｔｕｓがｌｏｗｅｒＬａｙｅｒＤｏｗｎに等しくないと判断する場合、プロセスは２３６へ進んでよい。２３６において、ＩＲＰエージェント１３２は、ｉｆＯｐｅｒＳｔａｔｕｓがアップ（ｕｐ）と等しいか否かが判断され得る。インターフェイスが動作可能になったことを示し得るものである。この状況において、ＩＲＰエージェント１３２は、２４０において、新たに受け取ったアラームをアクティブアラームリストから取り除き、そして、”ｎｏｔｉｆｙＣｌｅａｒｅｄＡｌａｒｍ”の通知タイプを有している、変換されたアラーム通知を生成してよい。ｎｏｔｉｆｙＣｌｅａｒｅｄＡｌａｒｍ通知としても参照され得るものである。ｎｏｔｉｆｙＣｌｅａｒｅｄＡｌａｒｍ通知は、ＷＬＡＮ  ＡＰ１２０のＩＤ；”ｔｒａｎｓｃｅｉｖｅｒ  ｆａｉｌｕｒｅ”の確からしい原因；「クリア（”ｃｌｅａｒｅｄ”）」として認められる重症度；および、「通信アラーム」としてのアラームタイプ、を示すオブジェクトインスタンスを含んでよい。ＩＲＰエージェント１３２は、次に、変換されたアラーム通知をＩＲＰマネージャ１２８に対して送付してよい。
【００３５】
２３６において、ＩＲＰエージェント１３２が、ｉｆＯｐｅｒＳｔａｔｕｓがアップと等しくないと判断する場合、プロセスは終了してよい。この状況において、ｉｆＯｐｅｒＳｔａｔｕｓは、第２フォーマットを有するアラーム通知に対応しない値に設定されてよい。
【００３６】
ＷＬＡＮ  ＡＰ１２０のネットワークリソースモデル（ＮＲＭ）は、例えば、３ＧＰＰネットワークである、セルラーネットワークの運用、管理、および保守（ＯＡＭ）システムによって認識可能なやり方において定められてよい。ＷＬＡＮ  ＡＰ１２０に係る適切なネットワークリソースモデルを提供することは、ＩＲＰエージェント１３２と、例えば、集中されたネットワークの管理、を含む電気通信のためのＩＲＰマネージャ１２８との間におけるネットワークリソース情報に係る通信を促進し得る。
【００３７】
いくつかの実施例において、一式のクラス、例えば、情報オブジェクトクラス（ＩＯＣ）は、ＩＲＰコンポーネントに関連する情報をカプセル化（ｅｎｃａｐｓｕｌａｔｅ）してよい。ＩＯＣは、ネットワークリソースの管理態様を表現し得る。管理インターフェイスにおいて、通過、及び／又は、使用され得る情報を記述し得るものである。表現は、技術非依存型（ｔｅｃｈｎｏｌｏｇｙ  ａｇｎｏｓｔｉｃ）のソフトウェアオブジェクトであってよい。ＩＯＣは、ネットワーク管理サービスを提供するオペレーションをサポートし、そして、オブジェクトのそうした特定のクラスに対するデマンドに応じて呼び出し可能（ｉｎｖｏｃａｂｌｅ）であってよい。ＩＯＣは、オブジェクトのそうしたクラスに関連するイベント発生をレポートする通知をサポートし得る。ＩＯＣは、統一モデリング言語（ＵＭＬ）において、ステレオタイプの「クラス」を使用してモデル化されてよい。ＮＲＭは、管理下にある一式のネットワークリソースを表しているＩＯＣのコレクション（ｃｏｌｌｅｃｔｉｏｎ）であってよい。
【００３８】
図３は、いくつかの実施例に従って、ＷＬＡＮ  ＮＲＭのコンテイメント／ネーミング階層およびクラス３００の関連を示している。このように、ＷＬＡＮ  ＡＰ  ＩＯＯＣは、ＷＬＡＮ  ＡＰを表わしてよく、そして、図３に示されるように、ＭａｎａｇｅｄＥｌｅｍｅｎｔ  ＩＯＣの中に含まれてよい。
【００３９】
図４は、様々な実施例に従って、ＷＬＡＮ  ＮＲＭのインヘリタンス階層４００を示している。階層４００は、ＷＬＡＮ  ＡＰ  ＩＯＣが、ＭａｎａｇｅｄＦｕｎｃｔｉｏｎ  ＩＯＣから受け継がれてよいことを示し得る。
【００４０】
図３と図４に係るＩＯＣ管理エレメントとＩＯＣ管理ファンクションは、３ＧＰＰ  ＴＳ  ３２．６２２  Ｒｅｌ  １１（２０１３−０６−２８）および３ＧＰＰ  ＴＳ  ２８．６２２  Ｖ１１．０．０（２０１２−１２）において記述されたものと同様なエレメントを有してよい。
【００４１】
ＷＬＡＮアクセスポイントクラスは、ＷＬＡＮアクセスポイント機能性を表わすように定められてよい。クラスは、テーブル１において示されるような属性を含んでよい。
【表３】
0006403879.tif 000004
テーブル１
【００４２】
ｗｌａｎＡｐＩｄによって特定されたＷＬＡＮ  ＡＰのための一式の有効な通知は、ｎｏｔｉｆｙＣｈａｎｇｅｄＡｌａｒｍ、ｎｏｔｉｆｙＣｌｅａｒｅｄＡｌａｒｍ、および、ｎｏｔｉｆｙＮｅｗＡｌａｒｍを含んでよい。これらの通知は、３ＧＰＰ  ＴＳ  ３２．１１１−２においてアラームＩＲＰに関して定められたものと同様なものであり得る。
【００４３】
ｗｌａｎＡｐＩＤは、いくつかのＩＯＣの中に存在する属性（ａｔｔｒｉｂｕｔｅ）であってよい。この属性は、オブジェクトクラスに係るインスタンスを名付けるときに、相対識別名（ｒｅｌａｔｉｖｅ  ｄｉｓｔｉｎｇｕｉｓｈｅｄ  ｎａｍｅ、ＲＤＮ）として使用され得る”ｎａｍｅ＋ｖａｌｕｅ”を有してよい。このＲＤＮは、オブジェクトインスタンスを、その含有物（ｃｏｎｔａｉｎｉｎｇ）の範囲内で一意的に特定し得る。例えば、ペアレント、オブジェクトインスタンスである。
【００４４】
図５は、様々な実施例に従って、エレメントマネージャ１０８を示している。エレメントマネージャ１０８は、マッピング回路５１２と接続された送信回路５０４および受信回路５０８を含んでよい。
【００４５】
送信回路５０４と受信回路５０８は、一つまたはそれ以上の通信インターフェイスにわたり通信を提供するための適切な回路を含んでよい。いくつかの実施例において、送信回路５０４と受信回路５０８は、ネットワークマネージャ１０４を用いて、Ｔｙｐｅ−２インターフェイスにわたり通信を提供する回路を含んでよく、そして、さらに、アクセスコントローラ１２４及び／又はＷＬＡＮ  ＡＰ１２０と通信するためのインターフェイスにわたり通信を提供するための回路を含んでよい。
【００４６】
マッピング回路５１２は、ＩＲＰエージェント１３２とマッピングファンクション１３６に関して以前に説明した機能性を提供し得る。マッピング回路５１２は、変換オペレーションを促進するために、アラームリスト５１６とマッピングファンクションロジック５２０にアクセスし得る。アラームリスト５１６とマッピングファンクションロジック５２０は、一般的に示されるように、マッピング回路５１２のストレージ／メモリコンポーネントの中にあってよく、もしくは、例えば、送信回路５０４と受信回路５０８を通じてリモートにアクセスされてよい。
【００４７】
エレメントマネージャ１０８のコンポーネントは、図６において示されたものといったプロセスを実行するように、そして、いくつかの実施例に従って、構成されてよい。特に、受信回路５０８は、ＷＬＡＮ  ＡＰ１２０から、６０４において第１フォーマットに従ったアラーム通知を受信し得る。アラーム通知は、マッピング回路５１２へ提供されてよい。
【００４８】
６０８において、マッピング回路５１２は、アラーム通知を、第１フォーマットから、ＩＲＰマネージャ１２８によって使用されるべき第２フォーマットに従った変換されたアラーム通知へ、変換し得る。ＩＲＰマネージャは、ＬＴＥ−Ａネットワークの態様を管理し得るものである。マッピング回路５１２は、いくつかの実施例に従って、図２のＳＤＬダイヤグラムに関して上記に説明されたものと同様な変換プロセスを実行するために、アラームリスト５１６とマッピングファンクションロジック５２２を使用し得る。
【００４９】
６１２において、マッピング回路５１２は、ＩＲＰマネージャ１２８に対して変換されたアラーム通知を送信するために、送信回路をコントロールし得る。上述のように、コンバーチブル（ｃｏｎｖｅｒｔｉｂｌｅ）なアラート通知が、Ｔｙｐｅ−２インターフェイスにわたりＩＲＰマネージャ１２８に対して送信され得る。
【００５０】
ここにおいて説明された、ネットワークマネージャ１０４、エレメントマネージャ１０８、ＷＬＡＮ  ＡＰ１２０、及び／又は、アクセスコントローラ１２４は、望む通りに構成するためのあらゆる適切なハードウェア及び／又はソフトウェアを使用して、システムの中に実装されてよい。図７は、一つの実施例について、少なくとも示されるように相互に接続されている、通信回路７０４、アプリケーション回路７０８、メモリ／ストレージ７１２、ディスプレイ７１６、カメラ７２０、センサ７２４、および、入力／出力（Ｉ／Ｏ）インターフェイス７２８を含むシステム７００の一つの例を示している。いくつかの実施例において、通信回路７０４、アプリケーション回路７０８、及び／又は、メモリ／ストレージ７１２の構成コンポーネントのいくつか又は全ては、システムオンチップ（ＳＯＣ）上に一緒に実装されてよい。
【００５１】
アプリケーション回路７０８は、これらに限定されるわけではないが、一つまたはそれ以上のシングルコアまたはマルチコアプロセッサといった、回路を含んでよい。プロセッサは、汎用プロセッサと専用プロセッサ（例えば、グラフィクスプロセッサ、アプリケーションプロセッサ、等）のあらゆる組み合せを含んでよい。プロセッサは、メモリ／ストレージ７１２と接続され、そして、システム上で実行される様々なアプリケーション及び／又はオペレーティングシステムをイネーブルするために、インストラクションを実行し、かつ、メモリ／ストレージに保管されたデータにアクセスするように構成されてよい。
【００５２】
通信回路７０４は、これらに限定されるわけではないが、一つまたはそれ以上のシングルコアまたはマルチコアプロセッサ、および、信号処理技術を提供するためのロジック回路、といった回路を含んでよい。信号処理技術は、通信が行われる適切な通信インターフェイスについて適した、例えば、符号化、変調、フィルタリング、変換、増幅、等である。通信回路７０４は、有線、光、または、無線の通信媒体にわたり通信し得るものである。
【００５３】
システム７００が無線通信のために構成されている実施例において、通信回路７０４は、一つまたはそれ以上の無線技術とコンパチブルな通信を提供するための無線周波数（ｒａｄｉｏ−ｆｒｅｑｕｅｎｃｙ）およびベースバンド回路を含んでよい。例えば、いくつかの実施例において、通信回路７０４は、発展型ユニバーサル地上無線アクセスネットワーク（ＥＵＴＲＡＮ）、及び／又は、他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートし得る。
【００５４】
メモリ／ストレージ７１２は、例えば、システムのための、データ及び／又はインストラクションをロードし、かつ、保管するために使用され得る。一つの実施例についてメモリ／ストレージ７１２は、適切な揮発性メモリ（例えば、ダイナミックランダムアクセスメモリ（ＤＲＡＭ））、及び／又は、不揮発性メモリ（例えば、フラッシュメモリ）のあらゆる組み合せを含んでよい。
【００５５】
様々な実施例において、Ｉ／Ｏインターフェイス７２８は、一つまたはそれ以上の、ユーザがシステムとインタラクションできるようにデザインされたユーザインターフェイス、及び／又は、ペリフェラルコンポーネントがシステムとインタラクションできるようにデザインされたペリフェラルコンポーネントインターフェイスを含んでよい。ユーザインターフェイスは、これらに限定されるわけではないが、物理的なキーボードまたはキーパッド、タッチパッド、スピーカ、マイクロフォン、等を含んでよい。ペリフェラルコンポーネントインターフェイスは、これらに限定されるわけではないが、不揮発性メモリポート、ユニバーサルシリアルバス（ＵＳＢ）ポート、オーディオジャック、および、電源インターフェイスを含んでよい。
【００５６】
様々な実施例において、センサ７２４は、環境条件、及び／又は、システムに関する位置情報を判断するための一つまたはそれ以上の検出デバイスを含んでよい。いくつかの実施例において、センサは、これらに限定されるわけではないが、ジャイロセンサ、加速度計、近接センサ、環境光センサ、および、位置決めユニット（ｐｏｓｉｔｉｏｎｉｎｇ  ｕｎｉｔ）を含んでよい。位置決めユニットは、また、位置決めネットワークのコンポーネント、例えば、全地球測位システム（ＧＰＳ）衛星と、通信するための通信回路７０４の一部であってよく、または、インタラクションしてよい。
【００５７】
様々な実施例において、カメラ７２０は、静止画像または動画映像をキャプチャするための一つまたはそれ以上のイメージキャプチャデバイスを含んでよい。
【００５８】
様々な実施例において、ディスプレイ７１６は、ディスプレイ（例えば、液晶ディスプレイ、タッチスクリーンディスプレイ、等）を含んでよい。
【００５９】
様々な実施例において、システムは、より多い又はより少ないコンポーネント、及び／又は、異なるアーキテクチャを有してよい。
【００６０】
いくつかの限定することのない実施例が、以下に提供される。
【００６１】
実施例１は、インストラクションを有する一つまたはそれ以上の固定のコンピュータで読取り可能な媒体を含み、実行されると、エレメントマネージャに、無線ローカルエリアネットワーク（ＷＬＡＮ）アクセスポイント（ＡＰ）から受け取った、ＷＬＡＮ  ＡＰに関連するインターフェイスの動作状態がダウンであることを示すために設定されたｉｆＯｐｅｎＳｔａｔｕｓを含む、第１アラーム通知を判断させ；第１アラーム通知が、エレメントマネージャにおいて保管されているアラームリストの中のアクティブアラームに対応しないことを判断させ；かつ、第１アラーム通知は、動作状態がダウンであることを示すように設定されたｉｆＯｐｅｎＳｔａｔｕｓオブジェクトを含んでおり、かつ、アクティブアラームに対応していない、との判断に基づいて、セルラーネットワークの統合基準点（ＩＲＰ）マネージャに新たなアラームを通知するためのｎｏｔｉｆｙＮｅｗＡｌａｒｍ通知を有する第２アラーム通知を生成させる。
【００６２】
実施例２は、実施例１に係る一つまたはそれ以上の固定のコンピュータで読取り可能な媒体を含み、インストラクションが実行されると、さらに、エレメントマネージャに、Ｔｙｐｅ−２インターフェイスにわたりＩＲＰマネージャに対して第２アラーム通知を送信させる。
【００６３】
実施例３は、実施例１または２に係る一つまたはそれ以上の固定のコンピュータで読取り可能な媒体を含み、インストラクションが実行されると、さらに、エレメントマネージャに、アラームリストを第１アラーム通知に対応するアラーム情報について検査させ；かつ、アラームリストの検査に基づいて、第１アラーム通知がアクティブアラームに対応していないと判断させる。
【００６４】
実施例４は、実施例１−３いずれかに係る一つまたはそれ以上の固定のコンピュータで読取り可能な媒体を含み、第２アラーム通知は、トランシーバー故障を動作状態の確からしい原因として示すものである。
【００６５】
実施例５は、実施例１−４いずれかに係る一つまたはそれ以上の固定のコンピュータで読取り可能な媒体を含み、第２アラーム通知は、認められる重症度をクリティカルまたはメジャーとして示すものである。
【００６６】
実施例６は、実施例１−５いずれかに係る一つまたはそれ以上の固定のコンピュータで読取り可能な媒体を含み、第２アラーム通知は、ＷＬＡＮ  ＡＰの識別子を含む。
【００６７】
実施例７は、実施例１−６いずれかに係る一つまたはそれ以上の固定のコンピュータで読取り可能な媒体を含み、第２アラーム通知は、通信アラームのアラームタイプを含む。
【００６８】
実施例８は、実施例１−７いずれかに係る一つまたはそれ以上の固定のコンピュータで読取り可能な媒体を含み、第２アラーム通知は、第３世代パートナーシッププロジェクト（３ＧＰＰ）アラーム通知を含む。
【００６９】
実施例９は、装置を含み、例えば、エレメントマネージャは、無線ローカルエリアネットワーク（ＷＬＡＮ）アクセスポイント（ＡＰ）から、第１フォーマットに従ったアラーム通知を受け取るための受信回路と；受信回路と接続され、アラーム通知を、第１フォーマットから、セルラーネットワークの態様を管理する統合基準点（ＩＲＰ）マネージャによって使用される第２フォーマットに従って変換されたアラーム通知へ変換するためのマッピング回路であり、アラーム通知が、ダウンに等しいｉｆＯｐｅｒＳｔａｔｕｓオブジェクトを含み、かつ、装置において存在しているアクティブアラームと一致しない場合に、変換されたアラーム通知はｎｏｔｉｆｙＮｅｗＡｌａｒｍ通知である、マッピング回路と；マッピング回路と接続され、変換されたアラーム通知をＩＲＰマネージャに対して送付するための送信回路と、を含む。
【００７０】
実施例１０は、実施例９に係る装置を含み、装置は、ＩＲＰエージェントを含み、かつ、ＩＲＰマネージャは、ネットワークマネージャ（ＮＭ）のＩＲＰマネージャである。
【００７１】
実施例１１は、実施例９または１０に係る装置を含み、ダウンに等しいｉｆＯｐｅｒＳｔａｔｕｓオブジェクトは、ＷＬＡＮ  ＡＰと関連付けされたインターフェイスが動作していないことを示す。
【００７２】
実施例１２は、実施例９−１１いずれかに係る装置を含み、マッピング回路は、アラーム通知をアクティブアラームリストへ追加する。
【００７３】
実施例１３は、実施例９−１２いずれかに係る装置を含み、送信回路は、変換されたアラーム通知を、Ｔｙｐｅ−２インターフェイスにわたりＩＲＰマネージャへ送信する。
【００７４】
実施例１４は、実施例９−１３いずれかに係る装置を含み、アラーム通知が、アップに等しいｉｆＯｐｅｒＳｔａｔｕｓオブジェクトを含み、かつ、装置において存在しているアクティブアラームと一致する場合に、変換されたアラーム通知はｎｏｔｉｆｙＣｌｅａｒｅｄＡｌａｒｍ通知である。
【００７５】
実施例１５は、実施例１４に係る装置を含み、マッピング回路は、アラーム通知が、アップに等しいｉｆＯｐｅｒＳｔａｔｕｓオブジェクトを含む場合に、アラームリストから、アラーム通知に対応するアラーム情報を取り除く。
【００７６】
実施例１６は、実施例９−１５いずれかに係る装置を含み、アラーム通知が、ｌｏｗｅｒＬａｙｅｒＤｏｗｎに等しいｉｆＯｐｅｒＳｔａｔｕｓオブジェクトを含み、かつ、装置において存在しているアクティブアラームと一致しない場合に、変換されたアラーム通知はｎｏｔｉｆｙＮｅｗＡｌａｒｍ通知である。
【００７７】
実施例１７は、実施例９−１６いずれかに係る装置を含み、アラーム通知が、ダウンに等しいｉｆＯｐｅｒＳｔａｔｕｓオブジェクトを含み、かつ、装置において存在しているアクティブアラームと一致する場合に、変換されたアラーム通知はｎｏｔｉｆｙＣｈａｎｇｅｄＡｌａｒｍ通知である。
【００７８】
実施例１８は、実施例９−１７いずれかに係る装置を含み、アラーム通知が、ｌｏｗｅｒＬａｙｅｒＤｏｗｎに等しいｉｆＯｐｅｒＳｔａｔｕｓオブジェクトを含み、かつ、装置において存在しているアクティブアラームと一致する場合に、変換されたアラーム通知はｎｏｔｉｆｙＣｈａｎｇｅｄＡｌａｒｍ通知である。
【００７９】
実施例１９は、インストラクションを有する一つまたはそれ以上の固定のコンピュータで読取り可能な媒体を含み、実行されると、エレメントマネージャに、無線ローカルエリアネットワーク（ＷＬＡＮ）アクセスポイント（ＡＰ）から受け取った、ＷＬＡＮ  ＡＰに関連するインターフェイスの動作状態がアップであることを示すために設定されたｉｆＯｐｅｎＳｔａｔｕｓを含む、第１アラーム通知を判断させ；第１アラーム通知が、エレメントマネージャにおいて保管されているアラームリストの中のアクティブアラームに対応していることを判断させ；かつ、第１アラーム通知は、動作状態がアップであることを示すように設定されたｉｆＯｐｅｎＳｔａｔｕｓオブジェクトを含んでおり、かつ、アクティブアラームに対応している、との判断に基づいて、セルラーネットワークの統合基準点（ＩＲＰ）マネージャに変更されたアラームを通知するためのｎｏｔｉｆｙＣｌｅａｒｅｄＡｌａｒｍ通知を有する第２アラーム通知を生成させる。
【００８０】
実施例２０は、実施例１９に係る一つまたはそれ以上の固定のコンピュータで読取り可能な媒体を含み、インストラクションが実行されると、さらに、エレメントマネージャに、Ｔｙｐｅ−２インターフェイスにわたりＩＲＰマネージャに対して第２アラーム通知を送信させる。
【００８１】
実施例２１は、実施例１９または２０に係る一つまたはそれ以上の固定のコンピュータで読取り可能な媒体を含み、インストラクションが実行されると、さらに、エレメントマネージャに、アラームリストを第１アラーム通知に対応するアラーム情報について検査させ；かつ、アラームリストの検査に基づいて、第１アラーム通知がアクティブアラームに対応していると判断させる。
【００８２】
実施例２２は、実施例２１に係る一つまたはそれ以上の固定のコンピュータで読取り可能な媒体を含み、インストラクションが実行されると、さらに、エレメントマネージャに、第１アラーム通知は、動作状態がアップであることを示すように設定されたｉｆＯｐｅｎＳｔａｔｕｓオブジェクトを含んでいる、との判断に基づいて、アラームリストから、第１アラーム通知に対応するアラーム情報を取り除かせる。
【００８３】
実施例２３は、実施例１９−２２いずれかに係る一つまたはそれ以上の固定のコンピュータで読取り可能な媒体を含み、第２アラーム通知は、認められる重症度をクリアとして示すものである。
【００８４】
実施例２４は、実施例１９−２３いずれかに係る一つまたはそれ以上の固定のコンピュータで読取り可能な媒体を含み、第２アラーム通知は、ＷＬＡＮ  ＡＰの識別子を含む。
【００８５】
実施例２５は、実施例１９−２４いずれかに係る一つまたはそれ以上の固定のコンピュータで読取り可能な媒体を含み、第２アラーム通知は、通信アラームのアラームタイプを含む。
【００８６】
実施例２６は、例えば、エレメントマネージャによって実行される方法であって、本方法は、無線ローカルエリアネットワーク（ＷＬＡＮ）アクセスポイント（ＡＰ）から受け取った、ＷＬＡＮ  ＡＰに関連するインターフェイスの動作状態がダウンであることを示すために設定されたｉｆＯｐｅｎＳｔａｔｕｓを含む、第１アラーム通知を判断するステップと；第１アラーム通知が、エレメントマネージャにおいて保管されているアラームリストの中のアクティブアラームに対応しないことを判断するステップと；第１アラーム通知は、動作状態がダウンであることを示すように設定されたｉｆＯｐｅｎＳｔａｔｕｓオブジェクトを含んでおり、かつ、アクティブアラームに対応していない、との判断に基づいて、セルラーネットワークの統合基準点（ＩＲＰ）マネージャに新たなアラームを通知するためのｎｏｔｉｆｙＮｅｗＡｌａｒｍ通知を有する第２アラーム通知を生成するステップと、を含む。
【００８７】
実施例２７は、実施例２６に係る方法を含み、さらに、Ｔｙｐｅ−２インターフェイスにわたりＩＲＰマネージャに対して第２アラーム通知を送信するステップ、を含む。
【００８８】
実施例２８は、実施例２６または２７に係る方法を含み、さらに、アラームリストを第１アラーム通知に対応するアラーム情報について検査するステップと；アラームリストの検査に基づいて、第１アラーム通知がアクティブアラームに対応していないと判断するステップと、を含む。
【００８９】
実施例２９は、実施例２６−２８いずれかに係る方法を含み、第２アラーム通知は、トランシーバー故障を動作状態の確からしい原因として示すものである。
【００９０】
実施例３０は、実施例２６−２９いずれかに係る方法を含み、第２アラーム通知は、認められる重症度をクリティカルまたはメジャーとして示すものである。
【００９１】
実施例３１は、実施例２６−３０いずれかに係る方法を含み、第２アラーム通知は、ＷＬＡＮ  ＡＰの識別子を含む。
【００９２】
実施例３２は、実施例２６−３１いずれかに係る方法を含み、第２アラーム通知は、通信アラームのアラームタイプを含む。
【００９３】
実施例３３は、実施例２６−３２いずれかに係る方法を含み、第２アラーム通知は、第３世代パートナーシッププロジェクト（３ＧＰＰ）アラーム通知を含む。
【００９４】
実施例３４は、例えば、エレメントマネージャによって実行される方法であって、本方法は、無線ローカルエリアネットワーク（ＷＬＡＮ）アクセスポイント（ＡＰ）から受け取った、ＷＬＡＮ  ＡＰに関連するインターフェイスの動作状態がアップであることを示すために設定されたｉｆＯｐｅｎＳｔａｔｕｓを含む、第１アラーム通知を判断するステップと；第１アラーム通知が、エレメントマネージャにおいて保管されているアラームリストの中のアクティブアラームに対応していることを判断するステップと；第１アラーム通知は、動作状態がアップであることを示すように設定されたｉｆＯｐｅｎＳｔａｔｕｓオブジェクトを含んでおり、かつ、アクティブアラームに対応している、との判断に基づいて、セルラーネットワークの統合基準点（ＩＲＰ）マネージャに変更されたアラームを通知するためのｎｏｔｉｆｙＣｌｅａｒｅｄＡｌａｒｍ通知を有する第２アラーム通知を生成するステップと、を含む。
【００９５】
実施例３５は、実施例３４に係る方法を含み、さらに、Ｔｙｐｅ−２インターフェイスにわたりＩＲＰマネージャに対して第２アラーム通知を送信するステップ、を含む。
【００９６】
実施例３６は、実施例３４または３５に係る方法を含み、さらに、アラームリストを第１アラーム通知に対応するアラーム情報について検査するステップと；アラームリストの検査に基づいて、第１アラーム通知がアクティブアラームに対応していると判断するステップと、を含む。
【００９７】
実施例３７は、実施例３４−３６いずれかに係る方法を含み、さらに、第１アラーム通知は、動作状態がアップであることを示すように設定されたｉｆＯｐｅｎＳｔａｔｕｓオブジェクトを含んでいる、との判断に基づいて、アラームリストから、第１アラーム通知に対応するアラーム情報を取り除くステップ、を含む。
【００９８】
実施例３８は、実施例３４−３７いずれかに係る方法を含み、第２アラーム通知は、認められる重症度をクリアとして示すものである。
【００９９】
実施例３９は、実施例３４−３８いずれかに係る方法を含み、第２アラーム通知は、ＷＬＡＮ  ＡＰの識別子を含む。
【０１００】
実施例４０は、実施例３４−３９いずれかに係る方法を含み、第２アラーム通知は、通信アラームのアラームタイプを含む。
【０１０１】
実施例４１は、方法を含み、無線ローカルエリアネットワーク（ＷＬＡＮ）アクセスポイント（ＡＰ）から、第１フォーマットに従ったアラーム通知を受け取るステップと；ロング・ターム・エボリューション・アドバンスト（ＬＴＥ−Ａ）ネットワークを管理するＩＲＰマネージャによって使用される第２フォーマットに従って、ＩＲＰエージェントによって、第１フォーマットから変換されたアラーム通知へマッピングするステップと；ＩＲＰエージェントによって、変換されたアラーム通知をＩＲＰマネージャに対して送信するステップと、を含んでよい。
【０１０２】
実施例４２は、実施例４１に係る方法を含んでよく、ＩＲＰエージェントは、ＩＲＰエレメントマネージャ（ＥＭ）のＩＲＰマネージャであり、かつ、ＩＲＰマネージャは、ＩＲＰネットワークマネージャ（ＮＭ）のＩＲＰマネージャである。
【０１０３】
実施例４３は、実施例４１または４２に係る方法を含んでよく、アラーム通知は、ＷＬＡＮ  ＡＰの状態に関するｉｆＯｐｅｒＳｔａｔｕｓオブジェクトにおける変化に関するものである。
【０１０４】
実施例４４は、実施例４３に係る方法を含んでよく、アラーム通知は、ｉｆＯｐｅｒＳｔａｔｕｓオブジェクトにおける変化に関するものである。
【０１０５】
実施例４５は、実施例４０−４４いずれかに係る方法を含んでよく、第１フォーマットは、ＷＬＡＮフォーマットに関し、かつ、第２フォーマットは、第３世代パートナーシッププロジェクト（３ＧＰＰ）フォーマットに関し、そして、さらに、ｉｆＯｐｅｒＳｔａｔｕｓオブジェクトの値に基づいて、ＩＲＰエージェントによって、第１フォーマットに従ったアラーム通知を第２フォーマットに従った変換されたアラームへ変換するステップ、を含む。
【０１０６】
実施例４６は、実施例４０−４５いずれかに係る方法を含んでよく、アラーム通知は、ＩＲＰエージェントにおいて存在するあらゆるアクティブアラームと一致しない。そして、さらに、ｉｆＯｐｅｒＳｔａｔｕｓがダウンである場合に、ＩＲＰエージェントによって、メジャーの重症度を伴うｎｏｔｉｆｙＮｅｗＡｌａｒｍ通知をＩＲＰマネージャへ送信するステップ；もしくは、ｉｆＯｐｅｒＳｔａｔｕｓがｌｏｗｅｒＬａｙｅｒＤｏｗｎである場合に、ＩＲＰエージェントによって、マイナーの重症度を伴うｎｏｔｉｆｙＮｅｗＡｌａｒｍ通知をＩＲＰマネージャへ送信するステップ、を含む。
【０１０７】
実施例４７は、実施例４０−４６いずれかに係る方法を含んでよく、アラームが、アクティブアラームリストへ追加される。
【０１０８】
実施例４８は、実施例４０−４７いずれかに係る方法を含んでよく、アラーム通知は、存在するアクティブアラームと一致する。そして、さらに、ｉｆＯｐｅｒＳｔａｔｕｓがダウンである場合に、ＩＲＰエージェントによって、メジャーの重症度を伴うｎｏｔｉｆｙＣｈａｎｇｅｄＡｌａｒｍ通知をＩＲＰマネージャへ送信するステップ；または、ｉｆＯｐｅｒＳｔａｔｕｓがｌｏｗｅｒＬａｙｅｒＤｏｗｎである場合に、ＩＲＰエージェントによって、マイナーの重症度を伴うｎｏｔｉｆｙＣｈａｎｇｅｄＡｌａｒｍ通知をＩＲＰマネージャへ送信するステップ；もしくは、ｉｆＯｐｅｒＳｔａｔｕｓがアップである場合に、ＩＲＰエージェントによって、クリアの重症度を伴うｎｏｔｉｆｙＣｈａｎｇｅｄＡｌａｒｍ通知をＩＲＰマネージャへ送信するステップ、を含む。
【０１０９】
実施例４９は、実施例４８に係る方法を含んでよく、ｉｆＯｐｅｒＳｔａｔｕｓがアップである場合に、存在するアクティブアラームがアクティブアラームリストから取り除かれる。
【０１１０】
実施例５０は、実施例２６−４９いずれかに係る方法を実行するための手段を有するエレメントマネージャを含む。図示された実施例に係るここにおける説明は、要約において記述されるものを含めて、本開示が、排他的であること、または、開示された詳細な形式に限定されることを意図するものではない。特定の実施と実施例が説明目的のためにここにおいて説明される一方で、関連技術における当業者であれば認識するであろうように、本開示の範囲の中で種々の均等な変更が可能である。これらの変更は、上記の詳細な説明に照らして、本開示について成され得るものである。
【図１】
0006403879.tif 000005
【図２】
0006403879.tif 000006
【図３】
0006403879.tif 000007
【図４】
0006403879.tif 000008
【図５】
0006403879.tif 000009
【図６】
0006403879.tif 000010
【図７】
0006403879.tif 000011